(57)【要約】    【課題】      講義を受けるユーザに煩雑な操作を強いることなく、ユーザの利便性を向上させる通信端末装置及びアプリケーション起動方法を提供すること。    【解決手段】  情報格納部１１２には、予めＥＳＳ−ＩＤとアプリＩＤとを対応付けた動作指定情報が格納されており、アプリ格納部１１４には予めアプリが格納されている。受講者端末１０３がＥＳＳ−ＩＤを受信すると、情報解析部１１３は受信したＥＳＳ−ＩＤに対応する動作指定情報を情報格納部１１２から読み出し、アプリ制御部１１８に通知する。アプリ制御部１１８が通知された動作指定情報のアプリＩＤを参照し、アプリ格納部１１４から該当するアプリを読み出し、起動する。  【選択図】      図２
2006050274.tif 000002
【特許請求の範囲】
【請求項１】
通信端末と無線通信を行い、無線通信システムを構成する制御局が単局又は複数局で形成する無線通信エリア又は制御局自身を通信端末側で識別可能とし、かつ、制御局が発信するエリアＩＤを受信する受信工程と、
前記受信工程で前記エリアＩＤを受信すると、受信した前記エリアＩＤと予め対応付けて格納されたアプリケーションを起動するアプリ制御工程と、
を具備することを特徴とするアプリケーション起動方法。
【請求項２】
前記アプリ制御工程は、アプリケーション起動中に、当該アプリケーションと対応する前記エリアＩＤを前記受信工程で受信した場合、前記アプリケーションを終了することを特徴とする請求項１に記載のアプリケーション起動方法。
【請求項３】
前記アプリ制御工程は、前記受信工程で受信状態の前記エリアＩＤと対応付けられているアプリケーションが起動中に、前記エリアＩＤが不通状態となった場合、前記アプリケーションを終了することを特徴とする請求項１又は請求項２に記載のアプリケーション起動方法。
【請求項４】
前記アプリ制御工程は、前記受信工程で複数の異なるエリアＩＤを受信した場合、それぞれの前記エリアＩＤと対応付けられているアプリケーションをユーザに通知し、ユーザによって選択されたアプリケーションを起動することを特徴とする請求項１から請求項３のいずれかに記載のアプリケーション起動方法。
【請求項５】
前記アプリ制御工程は、前記受信工程で複数の異なるエリアＩＤを受信した場合、それぞれの前記エリアＩＤと予め対応付けられているアプリケーション及び優先度に基づいて、優先度が最も高いアプリケーションを起動することを特徴とする請求項１から請求項３のいずれかに記載のアプリケーション起動方法。
【請求項６】
前記アプリ制御工程は、優先度が最も高いアプリケーションが複数ある場合、それぞれのアプリケーションをユーザに通知し、ユーザによって選択されたアプリケーションを起動することを特徴とする請求項５に記載のアプリケーション起動方法。
【請求項７】
前記アプリ制御工程は、アプリケーションを起動してから一定時間経過するまで前記アプリケーションの終了を抑制することを特徴とする請求項１から請求項６のいずれかに記載のアプリケーション起動方法。
【請求項８】
前記アプリ制御工程は、アプリケーションを起動又は終了してから一定時間経過するまでアプリケーションの起動を抑制することを特徴とする請求項１から請求項７のいずれかに記載のアプリケーション起動方法。
【請求項９】
前記アプリ制御工程は、前記受信工程で受信した前記エリアＩＤと対応付けられているアプリケーション及び当該アプリケーションの起動を可能とする日時情報から、アプリケーションを起動するか否かを判断することを特徴とする請求項１から請求項８のいずれかに記載のアプリケーション起動方法。
【請求項１０】
前記アプリ制御工程は、前記受信工程で受信した前記エリアＩＤと対応付けられているアプリケーション及び当該アプリケーションの終了を可能とする日時情報から、アプリケーションを終了するか否かを判断することを特徴とする請求項１から請求項９のいずれかに記載のアプリケーション起動方法。
【請求項１１】
前記アプリ制御工程は、前記受信工程で受信した前記エリアＩＤと対応付けられているアプリケーション及び当該アプリケーションの起動を可能とするユーザ又は端末の識別情報から、アプリケーションを起動するか否かを判断することを特徴とする請求項１から請求項１０のいずれかに記載のアプリケーション起動方法。
【請求項１２】
前記アプリ制御工程は、前記受信工程で受信した前記エリアＩＤと対応付けられているアプリケーション及び当該アプリケーションの終了を可能とするユーザ又は端末の識別情報から、アプリケーションを終了するか否かを判断することを特徴とする請求項１から請求項１１のいずれかに記載のアプリケーション起動方法。
【請求項１３】
前記アプリ制御工程は、アプリケーションを起動又は終了するたびに起動又は終了したアプリケーションを示す情報と起動又は終了した時間を記憶し、記憶した情報からアプリケーションを起動するか否かを判断することを特徴とする請求項１から請求項１２のいずれかに記載のアプリケーション起動方法。
【請求項１４】
前記アプリ制御工程は、アプリケーションを起動又は終了するたびに起動又は終了したアプリケーションを示す情報と起動又は終了した時間を記憶し、記憶した情報からアプリケーションを終了するか否かを判断することを特徴とする請求項１から請求項１３のいずれかに記載のアプリケーション起動方法。
【請求項１５】
通信端末と無線通信を行い、無線通信システムを構成する制御局が単局又は複数局で形成する無線通信エリア又は制御局自身を通信端末側で識別可能とし、かつ、制御局が発信するエリアＩＤを受信する受信手段と、
前記エリアＩＤとアプリケーションとを予め対応付けて格納する格納手段と、
前記受信手段が受信したエリアＩＤと対応するアプリケーションを前記格納手段から読み出して起動するアプリ制御手段と、
を具備することを特徴とする通信端末装置。
【発明の詳細な説明】
【技術分野】
【０００１】
本発明は、通信端末装置及びアプリケーション起動方法に関し、特に携帯電話、ノート型パーソナルコンピュータ等の通信端末装置及びこの通信端末装置に用いられるアプリケーション起動方法に関する。
【背景技術】
【０００２】
一般に、無線ＬＡＮ（Local Area Network）のアクセスポイントには、固有の識別コードが付与されており、アクセスポイントは通信エリア内に存在する通信端末装置に識別コードを送信する。
【０００３】
このアクセスポイントに固有の識別コードを用いて、通信端末装置側でアプリケーションを自動的に起動する技術が特許文献１に開示されている。
【０００４】
特許文献１には、通信端末装置がアクセスポイントから当該アクセスポイントに固有の識別コードを受信し、受信した識別コードに対応して予め登録されているユーザ認証ソフトウェアを起動し、このユーザ認証ソフトウェアがアクセスポイントへ認証パケットを自動送信することにより、公衆無線アクセスシステムにログインすることができる。
【０００５】
ところで、近年、携帯電話や無線ＬＡＮ機能を有するノート型パーソナルコンピュータ（以下、「ノートＰＣ」という）の普及が進み、これらの情報機器を講義、講習会、セミナー、及びプレゼンテーション（会議）等（以下、これらを総称して単に「講義」という）に持ち込む機会が増大しており、このような機会に情報機器が受講者に対して何らかの支援を行うことが望まれている。
【特許文献１】特開２００４−０８０１３８号公報
【発明の開示】
【発明が解決しようとする課題】
【０００６】
しかしながら、上述した特許文献１に開示された技術では、確かに、公衆無線アクセスシステムへのログインに際しては、ユーザの利便性を向上させることができるものの、講義そのものを支援するものではない。
【０００７】
本発明はかかる点に鑑みてなされたものであり、講義を受けるユーザに煩雑な操作を強いることなく、ユーザの利便性を向上させる通信端末装置及びアプリケーション起動方法を提供することを目的とする。
【課題を解決するための手段】
【０００８】
本発明のアプリケーション起動方法は、通信端末と無線通信を行い、無線通信システムを構成する制御局が単局又は複数局で形成する無線通信エリア又は制御局自身を通信端末側で識別可能とし、かつ、制御局が発信するエリアＩＤを受信する受信工程と、前記受信工程で前記エリアＩＤを受信すると、受信した前記エリアＩＤと予め対応付けて格納されたアプリケーションを起動するアプリ制御工程と、を具備するようにした。
【０００９】
この方法によれば、通信端末側では無線通信エリア内でエリアＩＤを受信すると、受信したエリアＩＤに対応するアプリケーションを自動的に起動するため、ユーザがアプリケーションを起動するための操作を省略することができ、また、エリアＩＤを設定、変更することにより、多数の通信端末を同時に制御することができる。
【００１０】
本発明のアプリケーション起動方法は、前記アプリ制御工程が、アプリケーション起動中に、当該アプリケーションと対応する前記エリアＩＤを前記受信工程で受信した場合、前記アプリケーションを終了するようにした。
【００１１】
この方法によれば、エリアＩＤを発信する制御局側でエリアＩＤを変更すれば、エリアＩＤを受信する通信端末側でアプリケーションを自動的に起動したり終了したりすることができ、ユーザがアプリケーションを起動したり終了したりする操作を省略することができる。
【００１２】
本発明のアプリケーション起動方法は、前記アプリ制御工程が、前記受信工程で受信状態の前記エリアＩＤと対応付けられているアプリケーションが起動中に、前記エリアＩＤが不通状態となった場合、前記アプリケーションを終了するようにした。
【００１３】
この方法によれば、アプリケーションを起動中に、例えば、通信端末装置が無線通信エリア外へ出れば、エリアＩＤは不通状態となり、アプリケーションが自動的に終了するため、ユーザがアプリケーションを終了するための操作を省略することができる。
【００１４】
本発明のアプリケーション起動方法は、前記アプリ制御工程が、前記受信工程で複数の異なるエリアＩＤを受信した場合、それぞれの前記エリアＩＤと対応付けられているアプリケーションをユーザに通知し、ユーザによって選択されたアプリケーションを起動するようにした。
【００１５】
この方法によれば、複数の異なるエリアＩＤが受信された場合でも、ユーザによる簡単な操作でアプリケーションを起動することができる。
【００１６】
本発明のアプリケーション起動方法は、前記アプリ制御工程が、前記受信工程で複数の異なるエリアＩＤを受信した場合、それぞれの前記エリアＩＤと予め対応付けられているアプリケーション及び優先度に基づいて、優先度が最も高いアプリケーションを起動するようにした。
【００１７】
この方法によれば、複数の異なるエリアＩＤが受信された場合でも、優先度が最も高いアプリケーションを自動的に起動するので、ユーザの利便性をいっそう向上させることができる。
【００１８】
本発明のアプリケーション起動方法は、前記アプリ制御工程が、優先度が最も高いアプリケーションが複数ある場合、それぞれのアプリケーションをユーザに通知し、ユーザによって選択されたアプリケーションを起動するようにした。
【００１９】
この方法によれば、優先度が最も高いアプリケーションが複数ある場合でも、ユーザによる簡単な操作でアプリケーションを起動することができる。
【００２０】
本発明のアプリケーション起動方法は、前記アプリ制御工程が、アプリケーションを起動してから一定時間経過するまで前記アプリケーションの終了を抑制するようにした。
【００２１】
本発明のアプリケーション起動方法は、前記アプリ制御工程が、アプリケーションを起動又は終了してから一定時間経過するまでアプリケーションの起動を抑制するようにした。
【００２２】
これらの方法によれば、アプリケーションの起動と終了が頻繁に行われることを回避することができる。
【００２３】
本発明のアプリケーション起動方法は、前記アプリ制御工程が、前記受信工程で受信した前記エリアＩＤと対応付けられているアプリケーション及び当該アプリケーションの起動を可能とする日時情報から、アプリケーションを起動するか否かを判断するようにした。
【００２４】
本発明のアプリケーション起動方法は、前記アプリ制御工程が、前記受信工程で受信した前記エリアＩＤと対応付けられているアプリケーション及び当該アプリケーションの終了を可能とする日時情報から、アプリケーションを終了するか否かを判断するようにした。
【００２５】
これらの方法によれば、アプリケーションを自動的に起動又は終了する日時を指定することができる。
【００２６】
本発明のアプリケーション起動方法は、前記アプリ制御工程が、前記受信工程で受信した前記エリアＩＤと対応付けられているアプリケーション及び当該アプリケーションの起動を可能とするユーザ又は端末の識別情報から、アプリケーションを起動するか否かを判断するようにした。
【００２７】
本発明のアプリケーション起動方法は、前記アプリ制御工程が、前記受信工程で受信した前記エリアＩＤと対応付けられているアプリケーション及び当該アプリケーションの終了を可能とするユーザ又は端末の識別情報から、アプリケーションを終了するか否かを判断するようにした。
【００２８】
これらの方法によれば、アプリケーションを自動的に起動又は終了するユーザを指定することができる。
【００２９】
本発明のアプリケーション起動方法は、前記アプリ制御工程が、アプリケーションを起動又は終了するたびに起動又は終了したアプリケーションを示す情報と起動又は終了した時間を記憶し、記憶した情報からアプリケーションを起動するか否かを判断するようにした。
【００３０】
本発明のアプリケーション起動方法は、前記アプリ制御工程が、アプリケーションを起動又は終了するたびに起動又は終了したアプリケーションを示す情報と起動又は終了した時間を記憶し、記憶した情報からアプリケーションを終了するか否かを判断するようにした。
【００３１】
これらの方法によれば、同一のエリアＩＤを複数回受信した場合でも、同一のアプリを複数回起動又は終了することを回避することができる。
【００３２】
本発明の通信端末装置は、通信端末と無線通信を行い、無線通信システムを構成する制御局が単局又は複数局で形成する無線通信エリア又は制御局自身を通信端末側で識別可能とし、かつ、制御局が発信するエリアＩＤを受信する受信手段と、前記エリアＩＤとアプリケーションとを予め対応付けて格納する格納手段と、前記受信手段が受信したエリアＩＤと対応するアプリケーションを前記格納手段から読み出して起動するアプリ制御手段と、を具備する構成を採る。
【００３３】
この構成によれば、通信端末装置は無線通信エリア内でエリアＩＤを受信すると、受信したエリアＩＤに対応するアプリケーションを自動的に起動するため、ユーザがアプリケーションを起動するための操作を省略することができる。
【発明の効果】
【００３４】
本発明によれば、講義を受けるユーザに煩雑な操作を強いることなく、ユーザの利便性を向上させる通信端末装置及びアプリケーション起動方法を提供することができる。
【発明を実施するための最良の形態】
【００３５】
以下、本発明の実施の形態について、図面を参照して詳細に説明する。なお、実施の形態において、同一機能を有する構成には同一符号を付し、重複する説明については省略する。
【００３６】
（実施の形態１）
本発明の実施の形態１では、図１に示すような教室Ａにおいて、講師端末１０１がアクセスポイント１０２に接続されており、講師端末１０１によってアクセスポイント１０２のＥＳＳ−ＩＤ（Extended Service Set Identifier）を設定することができることを想定する。ここで、ＥＳＳ−ＩＤはアクセスポイント又は通信エリアを識別するためのコード（エリアＩＤ）である。また、アクセスポイント１０２の通信エリアは教室Ａ全体をカバーし、教室Ａ内には多数の受講者が受講者端末１０３を有して参加しているものとする。
【００３７】
図２は、図１に示す受講者端末１０３の内部構成を示す。この図において、ＥＳＳ−ＩＤ抽出部１１１は、アクセスポイント１０２から送信された信号からＥＳＳ−ＩＤを抽出して、抽出したＥＳＳ−ＩＤを情報解析部１１３に通知する。
【００３８】
情報格納部１１２には、ＥＳＳ−ＩＤと関連付けられたアプリケーション識別情報（以下、「アプリＩＤ」という）が動作指定情報として格納されている。ここで、本実施の形態における動作指定情報を図３に示す。図３では、３つの動作指定情報を示しており、それぞれインデックス１〜３で示している。動作指定情報には、講義名、当該講義が行われる教室、当該講義が行われる日時情報（曜日、開始時間及び終了時間）、受講者識別情報、ＥＳＳ−ＩＤ、アプリＩＤ、アプリの起動（又は終了）が行われた時間をタイムスタンプとして記録するか否かを示す起動記録モード、アプリＩＤに対応するアプリを起動するか終了するかを示す起動・終了情報が含まれる。
【００３９】
情報解析部１１３は、ＥＳＳ−ＩＤ抽出部１１１から通知されたＥＳＳ−ＩＤに対応する動作指定情報を情報格納部１１２から選択し、選択した動作指定情報をアプリ制御部１１８に通知する。例えば、ＥＳＳ−ＩＤ抽出部１１１からＥＳＳＩＤ−Ａ０１が通知されたとすると、情報格納部１１２から図３に示すインデックス１の動作指定情報が選択され、アプリ制御部１１８に通知される。
【００４０】
アプリ格納部１１４には、アプリＩＤに対応するアプリケーションプログラムが格納されており、また、受講者識別情報格納部１１５には、受講者の識別情報が格納されている。さらに、時刻管理部１１６は、年月日、曜日、時間からなる現在時刻を管理する。
【００４１】
メモリ１１７は、アプリの起動又は終了が行われると、起動又は終了したアプリを示す情報、すなわち、対応する動作指定情報のインデックス番号、起動又は終了の日時をタイムスタンプとして記憶する。
【００４２】
アプリ制御部１１８は、情報解析部１１３から通知された動作指定情報に基づいて、アプリの制御を行う。すなわち、動作指定情報に含まれるアプリＩＤに対応するアプリケーションプログラムをアプリ格納部１１４から読み出し、起動する。例えば、情報解析部１１３から図３に示すインデックス１の動作指定情報が通知されると、「出席確認」のアプリをアプリ格納部１１４から読み出し、起動する。これにより、受信したＥＳＳ−ＩＤに対応するアプリを自動的に起動するため、受講者がアプリを起動するための操作を省略することができる。
【００４３】
ただし、アプリ制御部１１８は、時刻管理部１１６の管理する現在時刻が動作指定情報の示す曜日、開始時間及び終了時間に該当するか否かを判断し、該当すればアプリを起動し、該当しなければアプリを起動しない。
【００４４】
また、アプリ制御部１１８は、受講者識別情報格納部１１５に格納された識別情報が動作指定情報に含まれる受講者識別情報に該当するか否かを判断し、該当すればアプリを起動し、該当しなければアプリを起動しない。
【００４５】
また、アプリ制御部１１８は、動作指定情報に含まれる起動記録モードがＯＮの場合、アプリの起動又は終了を行ったら対応する動作指定情報のインデックス番号、起動の日時をタイムスタンプとしてメモリ１１７に記憶させ、同じ講義日時内に同一の動作指定情報が複数回通知された場合でも、同一のアプリを複数回起動しないようにする。
【００４６】
さらに、アプリ制御部１１８は、アプリＩＤに対応するアプリ（指定されたアプリ）を起動する前に、アプリが実行されている（実行状態）か終了されている（終了状態）かを判断し、動作指定情報に含まれる起動・終了情報が「起動」を示す場合、アプリが終了状態であれば指定されたアプリの起動を行い、指定されたアプリとは異なる他のアプリが実行状態であれば実行状態のアプリを終了してから指定されたアプリの起動を行う。もしくは、指定されたアプリとは異なる他のアプリが実行状態であれば、この他の実行状態のアプリより前面に表示されるように指定されたアプリを起動してユーザにアプリの起動を明確に示す。また、起動・終了情報が「終了」を示す場合、実行状態のアプリが指定されたアプリであればそのアプリを終了する。
【００４７】
ユーザインタフェース１１９は、液晶画面等の表示装置、スピーカ等の音声発生装置、振動発生装置等であり、アプリ制御部１１８における制御内容を受講者に通知する。
【００４８】
次に、図２に示す構成を有する受講者端末１０３の動作について説明する。まず、講義に先立って、講師端末１０１のＥＳＳ−ＩＤが設定される。また、受講者端末１０３の情報格納部１１２には動作指定情報が、アプリ格納部１１４にはアプリケーションプログラムが、受講者識別情報格納部１１５には受講者識別情報がそれぞれ予め格納されている。
【００４９】
講義開始に伴い、講師端末１０１がアクセスポイント１０２のＥＳＳ−ＩＤを設定し、受講者が受講者端末１０３を携帯して、アクセスポイント１０２の通信エリア内である教室Ａに入室すると、受講者端末１０３の動作が開始する。
【００５０】
以下、受講者端末１０３の動作フローを示す図４を用いて説明する。図４において、ステップ（以下、「ＳＴ」と省略する）１２０では、アクセスポイント１０２から送信された信号を受講者端末１０３が受信し、受信した信号からＥＳＳ−ＩＤ抽出部１１１がＥＳＳ−ＩＤを抽出する。
【００５１】
ＳＴ１２１では、抽出されたＥＳＳ−ＩＤに対応する動作指定情報を情報格納部１１２から読み込み、ＳＴ１２２では、動作指定情報に含まれる受講者識別情報が受講者識別情報格納部１１５に格納された情報を含んでいるか否かがアプリ制御部１１８において判定される。一致すれば（ＹＥＳ）ＳＴ１２３に移行し、一致しなければ（ＮＯ）受講者端末１０３は新たなアプリ起動及び終了のためのＥＳＳ−ＩＤ監視状態となる。
【００５２】
ＳＴ１２３では、時刻管理部１１６で管理される現在時刻が動作指定情報に含まれる曜日、開始時間及び終了時間に該当すれば有効であるとして、有効であるか否かがアプリ制御部１１８において判定される。有効であれば（ＹＥＳ）ＳＴ１２４に移行し、無効であれば（ＮＯ）受講者端末１０３は新たなアプリ起動及び終了のためのＥＳＳ−ＩＤ監視状態となる。
【００５３】
ＳＴ１２４では、動作指定情報に含まれる起動記録モードがＯＦＦであるか否かがアプリ制御部１１８において判定され、起動記録モードが「ＯＮ」であれば（ＮＯ）ＳＴ１２５に移行し、「ＯＦＦ」であれば（ＹＥＳ）ＳＴ１２６に移行する。
【００５４】
ＳＴ１２５では、メモリ１１７に記憶された、ＳＴ１２１において情報解析部１１３が読み込んだ動作指定情報のインデックス番号とその起動時のタイムスタンプから、同じ講義日時内に同じインデックス番号のアプリが既に起動したか否かがアプリ制御部１１８において判定される。同じ講義日時内に既に起動していなければ（ＮＯ）、ＳＴ１２６に移行する。一方、同じ講義日時内に既に起動していれば（ＹＥＳ）、同じ講義日時内の複数回の同一アプリの起動を回避するため、受講者端末１０３は新たなアプリ起動及び終了のためのＥＳＳ−ＩＤ監視状態となる。
【００５５】
ＳＴ１２６では、動作指定情報に含まれる起動・終了情報が「起動」であるか否かがアプリ制御部１１８において判定され、起動・終了情報が「終了」であれば（ＮＯ）ＳＴ１２７に移行し、起動・終了情報が「起動」であれば（ＹＥＳ）ＳＴ１２９に移行する。
【００５６】
ＳＴ１２７では、起動・終了情報の「終了」指示を受けて、指定されたアプリが実行状態であるか否かがアプリ制御部１１８において判定され、実行状態であれば（ＹＥＳ）ＳＴ１２８に移行し、実行状態でなければ（ＮＯ）受講者端末１０３は新たなアプリ起動及び終了のためのＥＳＳ−ＩＤ監視状態となる。
【００５７】
ＳＴ１２８では、ＳＴ１２７において実行状態にあると判定された指定アプリを終了し、受講者端末１０３は新たなアプリ起動及び終了のためのＥＳＳ−ＩＤ監視状態となる。
【００５８】
ＳＴ１２９では、起動・終了情報の「起動」指示を受けて、指定されたアプリとは異なる他のアプリが実行状態にあるか否かがアプリ制御部１１８において判定される。他のアプリが実行状態であれば（ＹＥＳ）ＳＴ１３０に移行し、他のアプリが実行状態でなければ（ＮＯ）ＳＴ１３１に移行する。
【００５９】
ＳＴ１３０では、アプリ制御部１１８が指定されたアプリとは異なる他のアプリを終了し、ＳＴ１３１では、指定されたアプリを起動する。例えば、携帯電話のようなシングルタスク処理を行う端末では、複数のアプリを同時に起動することができないので、指定アプリを起動する前に指定アプリとは異なる他のアプリが起動していれば他のアプリを終了してから指定アプリを起動しなければならず、これらの処理を自動的に行うことにより、受講者の利便性を向上させることができる。
【００６０】
ＳＴ１３１において起動したアプリが「出席確認」であった場合、ユーザインタフェース１１９を液晶画面等の表示装置として、この表示装置に出席確認画面を表示する例を図５に示す。図５に示す出席確認画面には、日付、ＥＳＳ−ＩＤ、講義名、教室名、出席確認がそれぞれ表示されている。
【００６１】
ＳＴ１３２では、再度、動作指定情報に含まれる起動記録モードがＯＦＦであるか否かがアプリ制御部１１８において判定され、起動記録モードが「ＯＮ」であれば（ＮＯ）ＳＴ１３３に移行し、「ＯＦＦ」であれば（ＹＥＳ）受講者端末１０３は新たなアプリ起動及び終了のためのＥＳＳ−ＩＤ監視状態となる。
【００６２】
ＳＴ１３３では、アプリ制御部１１８が動作指定情報のインデックス番号、アプリを起動した日時をタイムスタンプとしてメモリ１１７に保存し、受講者端末１０３は新たなアプリ起動及び終了のためのＥＳＳ−ＩＤ監視状態となる。
【００６３】
このように実施の形態１によれば、受講者端末にＥＳＳ−ＩＤと対応するアプリ及びこのアプリの起動時刻又は終了時刻を予め格納しておき、講師端末がアクセスポイントのＥＳＳ−ＩＤを設定又は変更することにより、アクセスポイントからＥＳＳ−ＩＤを受信した受講者端末が、受信したＥＳＳ−ＩＤに対応するアプリを日時情報に基づいて起動するため、講師一人が複数の受講者端末を同時に制御することができるので、受講者に煩雑な操作を強いることなく、講師及び受講者の利便性を向上させることができる。
【００６４】
なお、本実施の形態では、受講者識別情報を用いたが、本発明はこれに限定されず、電話番号等の端末情報を用いてもよく、また、受講者識別情報と端末情報との双方を用いてもよい。要は、受講者毎に固有の識別情報を用いればよい。
【００６５】
（実施の形態２）
本発明の実施の形態２では、図６に示すように複数の教室Ｂ〜Ｄが隣接しており、教室Ｃは教室Ｂ及び教室Ｄのアクセスポイントの通信エリアに含まれ、各教室ではそれぞれ異なる講義が実施の形態１で説明したように行われていることを想定する。すなわち、各教室では各講師端末がそれぞれ異なるＥＳＳ−ＩＤを設定し、受講者端末を制御して講義を行っているものとする。また、受講者端末１０３には、教室Ｂ、Ｃ及びＤで行われている講義で使用される動作指定情報及びアプリが格納されているものとする。
【００６６】
図７は、図６に示す受講者端末１０３の内部構成を示す。この図において、ＥＳＳ−ＩＤ抽出部１１１は、アクセスポイント１０２から送信された信号からＥＳＳ−ＩＤを抽出し、新たに抽出したＥＳＳ−ＩＤについて受信フラグを立てる。また、受信信号から抽出していたＥＳＳ−ＩＤが抽出できなくなったら、そのＥＳＳ−ＩＤについて不通フラグを立てる。ＥＳＳ−ＩＤと受信／不通フラグは情報解析部１１３に通知される。
【００６７】
情報格納部１１２には、動作指定情報が図８に示すように、インデックス、講義名、講義の開始時間と終了時間、ＥＳＳ−ＩＤ、アプリＩＤの組合せとして格納されている。
【００６８】
情報解析部１１３は、ＥＳＳ−ＩＤ抽出部１１１から通知されたＥＳＳ−ＩＤと受信／不通フラグのうち、情報格納部１１２の動作指定情報と時刻管理部１１６で管理される現在時刻とに基づいて、現在有効なＥＳＳ−ＩＤと受信／不通フラグを選択する。ここで、現在有効とは、動作指定情報に含まれたＥＳＳ−ＩＤであり、該当するＥＳＳ−ＩＤに対応する開始時間と終了時間が示す時間帯に現在時刻が含まれることを意味する。
【００６９】
選択されたＥＳＳ−ＩＤと受信／不通フラグのそれぞれについて、ＥＳＳ−ＩＤに対応する動作指定情報を情報格納部１１２から選択すると共に、受信／不通フラグが受信を示すか不通を示すか判定する。
【００７０】
受信／不通フラグが受信を示すＥＳＳ−ＩＤについては、対応する動作指定情報に起動指示情報を加えてアプリ制御部１１８に通知する。
【００７１】
また、受信／不通フラグが不通を示すＥＳＳ−ＩＤについては、対応する動作指定情報に終了指示情報を加えてアプリ制御部１１８に通知する。
【００７２】
アプリ制御部１１８は、情報解析部１１３から通知された起動指示情報が付加された動作指定情報が複数ある場合には、ユーザインタフェース１１９を介して複数の動作指定情報を受講者に通知する。そして、受講者が入力部１４１を介して選択した動作指定情報に対応するアプリをアプリ格納部１１４から読み出し、起動する。一方、情報解析部１１３から通知された終了指示情報が付加された動作指定情報については、実行状態のアプリを終了する。これにより、ＥＳＳ−ＩＤが不通になった場合、例えば、受講者端末１０３が通信エリア外へ出たときなど、アプリが自動的に終了するため、受講者がアプリを終了するための操作を省略することができる。
【００７３】
また、アプリ制御部１１８はアプリの起動又は終了をタイマ１４２に通知する。この通知が行われると、タイマ１４２はリセットを行い、時間の計測を行うので、アプリ制御部１１８はタイマ１４２を参照し、一定時間経過するまでアプリの起動又は終了を行わない。これは、例えば、通信エリアの境界付近では、アクセスポイントからのＥＳＳ−ＩＤを受信できたりできなかったりするので、アプリの起動又は終了を行ってから一定時間が経過するまではアプリの起動又は終了を行わないことにより、通信エリアの境界付近の受講者端末１０３がアプリを頻繁に起動したり終了したりすることを回避することができる。
【００７４】
次に、図７に示す構成を有する受講者端末１０３の動作フローについて図９を用いて説明する。この図において、ＳＴ１４３では、アクセスポイント１０２から送信された信号について、ＥＳＳ−ＩＤ抽出部１１１がＥＳＳ−ＩＤを新たに受信した（ＹＥＳ）か今まで受信していたＥＳＳ−ＩＤの受信を中断した（ＮＯ）かを判定する。ＥＳＳ−ＩＤを新たに受信した（ＹＥＳ）と判定されればＳＴ１４４に移行し、今まで受信していたＥＳＳ−ＩＤの受信を中断した（ＮＯ）と判定されればＳＴ１４５に移行する。
【００７５】
ＳＴ１４４では、新たに受信されたＥＳＳ−ＩＤについて受信フラグを生成し、ＳＴ１４５では、受信が中断となったＥＳＳ−ＩＤについて不通フラグを生成する。
【００７６】
ＳＴ１４６では、ＳＴ１４３において抽出されたＥＳＳ−ＩＤと受信／不通フラグから情報解析部１１３が情報格納部１１２の動作指定情報を参照して現在有効なＥＳＳ−ＩＤと受信／不通フラグを選択する。
【００７７】
ＳＴ１４７では、ＳＴ１４６において選択されたＥＳＳ−ＩＤと受信／不通フラグのそれぞれについて、受信／不通フラグが受信を示すか不通を示すかの判定が情報解析部１１３で行われる。受信／不通フラグが受信を示すと判定されれば（ＹＥＳ）ＳＴ１４９に移行し、受信／不通フラグが不通を示すと判定されれば（ＮＯ）ＳＴ１４８に移行する。
【００７８】
ＳＴ１４８では、情報解析部１１３が動作指定情報にアプリ終了指示情報を付加してＳＴ１２６に移行する。
【００７９】
ＳＴ１４９では、アプリ制御部１１８が動作指定情報を情報解析部１１３から取得し、この動作指定情報に基づいて、受信したＥＳＳ−ＩＤが複数あるか否かを判定する。複数のＥＳＳ−ＩＤを受信していれば（ＹＥＳ）ＳＴ１５０に移行し、複数のＥＳＳ−ＩＤを受信していない、すなわち、受信したＥＳＳ−ＩＤが１つであれば（ＮＯ）ＳＴ１５１に移行する。
【００８０】
ＳＴ１５０では、アプリ制御部１１８が複数のＥＳＳ−ＩＤに対応する動作指定情報をユーザインタフェース１１９を介して受講者に通知し、受講者による選択操作が行われ、ＳＴ１５１に移行する。ここで、ユーザインタフェース１１９を液晶画面等の表示装置とした場合、例えば、図１０に示すように表示することが考えられる。
【００８１】
ＳＴ１５１では、情報解析部１１３が動作指定情報にアプリ起動指示情報を付加して、ＳＴ１２６に移行する。
【００８２】
ＳＴ１５２では、ＳＴ１３１においてアプリを起動してから、又はＳＴ１２８においてアプリを終了してからタイマ１４２が起動し、タイマ１４２が起動してから一定時間経過するまでアプリ制御部１１８は情報解析部１１３から通知される新たな動作指定情報を受け付けず、受講者端末１０３は新たなアプリ起動及び終了のためのＥＳＳ−ＩＤ監視状態となる。
【００８３】
このように実施の形態２によれば、講義を受ける教室が他の教室におけるアクセスポイントの通信エリアに含まれるため、受講者端末が複数の異なるＥＳＳ−ＩＤを同時に受信した場合でも、それぞれのＥＳＳ−ＩＤに対応する動作指定情報を受講者に通知し、複数の動作指定情報から１つを受講者に選択させることにより、簡単な操作で講義に用いるアプリを起動することができる。
【００８４】
なお、本実施の形態では、アプリ制御部１１８がアプリ起動中に、ＥＳＳ−ＩＤ抽出部１１１が起動中のアプリと対応するＥＳＳ−ＩＤを抽出した場合、起動中のアプリを終了するものとする。これにより、エリアＩＤを発信する制御局側でエリアＩＤを変更すれば、エリアＩＤを受信する通信端末側でアプリケーションを自動的に起動したり終了したりすることができ、ユーザがアプリケーションを起動したり終了したりする操作を省略することができる。
【００８５】
（実施の形態３）
実施の形態２では、受講者端末が複数の異なるＥＳＳ−ＩＤを同時に受信し、それぞれのＥＳＳ−ＩＤに対応する動作指定情報を受講者に通知する場合について説明したが、本発明の実施の形態３では、受講者端末が複数の異なるＥＳＳ−ＩＤを同時に受信した場合において、受講者の操作負担をより軽減する場合について説明する。
【００８６】
なお、本実施の形態における受講者端末の内部構成は図７と同一であるので、図７を援用して説明する。
【００８７】
情報格納部１１２には、動作指定情報が図１１に示すように、インデックス、講義名、講義の開始時間と終了時間、ＥＳＳ−ＩＤ、アプリＩＤ、優先度（図では優先度１が優先度２より高いものとする）の組合せとして格納されている。
【００８８】
情報解析部１１３は、複数の異なるＥＳＳ−ＩＤを受信した場合、それぞれのＥＳＳ−ＩＤに対応する動作指定情報を情報格納部１１２から選択し、選択した動作指定情報の優先度を参照することにより、優先度の最も高い動作指定情報をアプリ制御部１１８に通知する。優先度の最も高い動作指定情報が複数ある場合には、複数の動作指定情報をアプリ制御部１１８に通知する。
【００８９】
アプリ制御部１１８は、情報解析部１１３から複数の動作指定情報が通知された場合には、ユーザインタフェース１１９を介して複数の動作指定情報（例えば、講義名）を受講者に通知する。そして、受講者が入力部１４１を介して選択した動作指定情報に対応するアプリをアプリ格納部１１４から読み出し、起動する。
【００９０】
次に、本発明の実施の形態３に係る受講者端末１０３の動作フローについて図１２を用いて説明する。この図において、ＳＴ１５３では、複数の異なるＥＳＳ−ＩＤにそれぞれ対応する動作指定情報の優先度により、最も高い優先度の動作指定情報が１つに決定されるか否かが情報解析部１１３において判定される。１つに決定されれば（ＹＥＳ）ＳＴ１５１に移行し、１つに決定されなければ（ＮＯ）ＳＴ１５０に移行する。
【００９１】
このように実施の形態３によれば、受講者端末が複数の異なるＥＳＳ−ＩＤを同時に受信した場合でも、動作指定情報に含めた優先度に基づいて、優先度の高い動作指定情報に対応するアプリを起動することにより、受講者の利便性をいっそう向上させることができる。
【００９２】
なお、上述した実施の形態１から実施の形態３では、受講者端末がシングルタスク処理を行う場合について説明したため、動作指定情報に含まれる起動・終了情報が「起動」を示す場合には、他のアプリが実行状態にあるか否かを判定し、他のアプリが実行状態にあれば他のアプリを終了してから指定されたアプリを起動するが、受講者端末がマルチタスク処理を行う場合には、他のアプリが実行状態にあっても指定されたアプリを起動することができるので、他のアプリが実行状態にあるか否かを判定する必要はない。
【００９３】
また、上述した実施の形態１から実施の形態３では、無線ＬＡＮシステムのアクセスポイントが発信するＥＳＳ−ＩＤをエリアＩＤとして説明したが、本発明はこれに限定されず、無線ＬＡＮシステムのアクセスポイントが発信するＢＳＳ−ＩＤ（Basic Service Set Identifier）をエリアＩＤとしてもよい。さらに、通信端末装置と無線通信を行い、無線通信システムを構成する制御局、具体的には、携帯電話システムの基地局、Bluetooth等のＰＡＮ（Personal Area Network）システムのマスター局等の無線通信システムにおける制御局が単局又は複数局で形成する無線通信エリア又は制御局自身を、通信端末側で識別するために制御局が発信するエリアＩＤでもよい。
【産業上の利用可能性】
【００９４】
本願発明にかかる通信端末装置及びアプリケーション起動方法は、無線ＬＡＮシステム等に適用することができる。
【図面の簡単な説明】
【００９５】
【図１】本発明の実施の形態１に係る通信システムを示す概念図
【図２】図１に示す受講者端末の内部構成を示すブロック図
【図３】本発明の実施の形態１における動作指定情報を示す図
【図４】受講者端末の動作を示すフロー図
【図５】出席確認画面の表示例を示す図
【図６】本発明の実施の形態２及び３に係る通信システムを示す概念図
【図７】図６に示す受講者端末の内部構成を示すブロック図
【図８】本発明の実施の形態２における動作指定情報を示す図
【図９】本発明の実施の形態２に係る受講者端末の動作を示すフロー図
【図１０】選択画面の表示例を示す図
【図１１】本発明の実施の形態３における動作指定情報を示す図
【図１２】本発明の実施の形態３に係る受講者端末の動作を示すフロー図
【符号の説明】
【００９６】
１０１  講師端末
１０２  アクセスポイント
１０３  受講者端末
１１１  ＥＳＳ−ＩＤ抽出部
１１２  情報格納部
１１３  情報解析部
１１４  アプリ格納部
１１５  受講者識別情報格納部
１１６  時刻管理部
１１７  メモリ
１１８  アプリ制御部
１１９  ユーザインタフェース
１４１  入力部
１４２  タイマ
【図１】
2006050274.tif 000003
【図２】
2006050274.tif 000004
【図３】
2006050274.tif 000005
【図４】
2006050274.tif 000006
【図５】
2006050274.tif 000007
【図６】
2006050274.tif 000008
【図７】
2006050274.tif 000009
【図８】
2006050274.tif 000010
【図９】
2006050274.tif 000011
【図１０】
2006050274.tif 000012
【図１１】
2006050274.tif 000013
【図１２】
2006050274.tif 000014